【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
投薬コントローラ（１６０）であって、
データ処理ハードウェア（１１２、１３２、１４２、１９２、１６０）と、
前記データ処理ハードウェア（１１２、１３２、１４２、１９２、１６０）と通信するメモリハードウェア（２４、１１４、１４４）と、
を含み、
前記メモリハードウェア（２４、１１４、１４４）は、前記データ処理ハードウェア（１１２、１３２、１４２、１９２、１６０）上で実行される時に、当該データ処理ハードウェア（１１２、１３２、１４２、１９２、１６０）をして、
患者（１０）に対する皮下情報（２１６、２１６ａ）を受信する段階、
前記患者（１０）の血糖測定値と、前記血糖測定値に関連付けられた血糖時間と、前記患者（１０）によって投与され且つ前記血糖測定値に関連付けられたインスリン投薬量と、を含む前記患者（１０）の血糖データを、コンピュータデバイスと通信するグルコメーター（１２４）から取得する段階、
前記血糖時間に基づいて、前記血糖測定値に関連付けられたスケジュールされた血糖時間間隔を決定する段階、
前記スケジュールされた血糖時間間隔のうちの少なくとも１つに関連付けられた前記血糖測定値を集約して、当該少なくとも１つのスケジュールされた血糖時間間隔に関連付けられた代表集約血糖測定値（２２２６、２２２８、２２５６、２２５８）を決定する段階、
前記代表集約血糖測定値（２２２６、２２２８、２２５６、２２５８）及び前記皮下情報（２１６、２１６ａ）に基づいて、前記患者（１０）に対する次の推奨インスリン投薬量（２３１０、２４０２、２４０４、２４０６）を決定する段階、及び
前記次の推奨インスリン投薬量（２３１０、２４０２、２４０４、２４０６）を、当該次の推奨インスリン投薬量（２３１０、２４０２、２４０４、２４０６）を表示する前記患者（１０）に関連付けられた携帯式デバイス（１１０ａ、１１０ｂ、１２３ａ、１２３ｂ、１２４）に送信する段階、
を含む動作を実行させる、という皮下外来患者プログラムのための命令を格納する、
ことを特徴とする投薬コントローラ（１６０）。
【請求項２】
前記動作は、前記皮下外来患者処理（１８００、１８００ａ、１８００ｂ）を当該投薬コントローラ（１６０）と通信する投与デバイス（１２３、１２３ａ、１２３ｂ）に送信する段階を更に含み、
前記投与デバイス（１２３、１２３ａ、１２３ｂ）は、
投薬器（２２３ａ、２２３ｂ）と、
前記投薬器（２２３ａ、２２３ｂ）と通信し、前記皮下外来患者処理（１８００、１８００ａ、１８００ｂ）を実行する時に前記投薬器（２２３ａ、２２３ｂ）をして前記皮下外来患者処理（１８００、１８００ａ、１８００ｂ）によって指定されたインスリンを投与させる投与コンピュータデバイス（１１２ｄ、１１２ｅ）と、
を含むことを特徴とする請求項１に記載の投薬コントローラ（１６０）。
【請求項３】
前記血糖データを取得する段階は、
バッチダウンロード処理（１９０８、１９１２）中に当該投薬コントローラ（１６０）と通信する遠隔コンピュータデバイスから前記血糖データを受信する段階であって、前記遠隔コンピュータデバイスは、前記グルコメーター（１２４）から前記血糖データをダウンロードするためのダウンロードプログラム（１９６）を実行する、という段階、
前記血糖測定値の測定時に前記グルコメーター（１２４）から前記血糖データを受信する段階、
バッチダウンロード処理（１９０８、１９１２）中に当該投薬コントローラ（１６０）と通信するメーター製造業者コンピュータデバイスから前記血糖データを受信する段階であって、前記メーター製造業者コンピュータデバイスは、前記グルコメーター（１２４）から前記血糖データを受信する、という段階、及び、
当該投薬コントローラ（１６０）及び前記グルコメーター（１２４）と通信する患者デバイス（１１０ａ、１１０ｂ）から前記血糖データを受信する段階であって、前記患者デバイス（１１０ａ、１１０ｂ）は、前記グルコメーター（１２４）から前記血糖データを受信する、という段階、
のうちの１又は２以上を含むことを特徴とする請求項１に記載の投薬コントローラ（１６０）。
【請求項４】
前記動作は、
朝食血糖時間間隔に関連付けられた前記血糖測定値のうちの１又は２以上を集約し、代表集約朝食血糖測定値（２３０６、２２２６、２２２８）を決定する段階と、
就寝中血糖時間間隔に関連付けられた前記血糖測定値のうちの１又は２以上を集約し、代表集約就寝中血糖測定値（２３０４、２２２６、２２２８）を決定する段階と、
支配的血糖値を、前記代表集約就寝中血糖測定値（２３０４、２２２６、２２２８）又は前記代表集約朝食血糖測定値（２３０６、２２２６、２２２８）のうちの小さい方の値として選択する段階と、
前記選択された支配的血糖測定値に基づいて次の推奨基礎投薬量（２３１０）を調節するための調節係数（ＡＦ１）を決定する段階と、
前日推奨基礎投薬量（２３１２）を取得する段階と、
前記調節係数（ＡＦ１）を前記前日推奨基礎投薬量（２３１２）に乗算することによって前記次の推奨基礎投薬量（２３１０）を決定する段階と、
を更に含むことを特徴とする請求項１に記載の投薬コントローラ（１６０）。
【請求項５】
前記動作は、
昼食血糖時間間隔に関連付けられた前記血糖測定値のうちの１又は２以上を集約し、代表集約昼食血糖測定値（２２５６、２２５８）を決定する段階と、
支配的血糖値を前記代表集約昼食血糖測定値（２２５６、２２５８）として選択する段階と、
前記選択された支配的血糖測定値に基づいて次の推奨朝食ボーラス（２４０２）を調節するための調節係数（ＡＦ１）を決定する段階と、
前日推奨朝食ボーラス（２４０８）を取得する段階と、
前記調節係数（ＡＦ１）を前記前日推奨朝食ボーラス（２４１４）に乗算することによって前記次の推奨朝食ボーラス（２４０２）を決定する段階と、
を更に含むことを特徴とする請求項１に記載の投薬コントローラ（１６０）。
【請求項６】
前記動作は、
夕食血糖時間間隔に関連付けられた前記血糖測定値のうちの１又は２以上を集約し、代表集約夕食血糖測定値（２２５６、２２５８）を決定する段階と、
支配的血糖値を前記代表集約夕食血糖測定値（２２５６、２２５８）として選択する段階と、
前記選択された支配的血糖測定値に基づいて次の推奨昼食ボーラス（２４０４）を調節するための調節係数（ＡＦ１）を決定する段階と、
前日推奨昼食ボーラス（２４１４）を取得する段階と、
前記調節係数（ＡＦ１）を前記前日推奨昼食ボーラス（２４１４）に乗算することによって前記次の推奨昼食ボーラス（２４０４）を決定する段階と、
を更に含むことを特徴とする請求項１に記載の投薬コントローラ（１６０）。
【請求項７】
前記動作は、
就寝時血糖時間間隔に関連付けられた前記血糖測定値のうちの１又は２以上を集約し、代表集約就寝時血糖測定値（２２２６、２２２８）を決定する段階と、
支配的血糖値を前記代表集約就寝時血糖測定値（２２２６、２２２８）として選択する段階と、
前記選択された支配的血糖測定値に基づいて次の推奨夕食ボーラス（２４０６）を調節するための調節係数（ＡＦ１）を決定する段階と、
前日推奨夕食ボーラス（２４２０）を取得する段階と、
前記調節係数（ＡＦ１）を前記前日推奨夕食ボーラス（２４２０）に乗算することによって前記次の推奨夕食ボーラス（２４０６）を決定する段階と、
を更に含むことを特徴とする請求項１に記載の投薬コントローラ（１６０）。
【請求項８】
前記動作は、
選択された時間間隔に関連付けられた前記血糖測定値のうちの１又は２以上を集約し、当該選択された時間間隔に関連付けられた代表集約血糖測定値（２２２６、２２２８、２２５６、２２５８）を決定する段階と、
支配的血糖値を、前記選択された時間間隔に関連付けられた代表集約血糖測定値（２２２６、２２２８、２２５６、２２５８）として選択する段階と、
前記選択された支配的血糖測定値に基づいて前記選択された時間間隔によって支配される次の推奨炭水化物対インスリン比（２５０２、２５０４、２５０６）を調節するための調節係数（ＡＦ１）を決定する段階と、
前記選択された時間間隔によって支配される前日推奨炭水化物対インスリン比（２５０８、２５１４、２５２０）を取得する段階と、
前記調節係数（ＡＦ１）を前記前日推奨炭水化物対インスリン比（２５０８、２５１４、２５２０）に乗算することによって前記次の推奨炭水化物対インスリン比（２５０２、２５０４、２５０６）を決定する段階と、
を更に含むことを特徴とする請求項１に記載の投薬コントローラ（１６０）。
【請求項９】
前記選択される時間間隔は、昼食血糖時間間隔、夕食血糖時間間隔、又は就寝時血糖時間間隔のうちの１つを含むことを特徴とする請求項８に記載の投薬コントローラ（１６０）。
【請求項１０】
各スケジュールされる血糖時間間隔が、朝食前血糖測定値、昼食前血糖測定値、夕食前血糖測定値、就寝時血糖測定値、及び、就寝中血糖測定値のうちの１つを含む関連付けられた血糖タイプに相関付けられることを特徴とする請求項１に記載の投薬コントローラ（１６０）。
【請求項１１】
前記動作は、
血糖測定値の各々に対して、当該血糖測定値を測定する時に前記患者（１０）によってタグ付けされる前記血糖タイプを決定する段階
を更に含むことを特徴とする請求項１０に記載の投薬コントローラ（１６０）。
【請求項１２】
前記スケジュールされる血糖時間間隔の一部分が、前記患者（１０）が食事を摂取している時の時間間隔に関連付けられ、
前記スケジュールされる血糖時間間隔の残りの部分が、前記患者（１０）が食事を摂取していない時の時間間隔に関連付けられる
ことを特徴とする請求項１に記載の投薬コントローラ（１６０）。
【請求項１３】
前記動作は、
当該投薬コントローラ（１６０）と通信する遠隔ヘルスケアプロバイダコンピュータデバイス（１４２）から、指定された日付範囲を受信する段階と、
前記スケジュールされた血糖時間間隔のうちの少なくとも１つに関連付けられ、かつ、前記指定された日付範囲内にある、前記血糖測定値のうちの１又は２以上を集約する段階と、
を更に含むことを特徴とする請求項１に記載の投薬コントローラ（１６０）。
【請求項１４】
前記代表集約血糖測定値（２２２６、２２２８、２２５６、２２５８）は、前記関連付けられてスケジュールされた血糖時間間隔に対する平均血糖値を含むことを特徴とする請求項１に記載の投薬コントローラ（１６０）。
【請求項１５】
前記代表集約血糖測定値（２２２６、２２２８、２２５６、２２５８）は、前記関連付けられてスケジュールされた血糖時間間隔に対する中央血糖値を含むことを特徴とする請求項１に記載の投薬コントローラ（１６０）。
【請求項１６】
データ処理ハードウェア（１１２、１３２、１４２、１９２、１６０）で、患者（１０）に対する皮下情報（２１６、２１６ａ）を受信する段階と、
推奨インスリン投薬量（２３１０、２４０２、２４０４、２４０６）を決定するために、皮下外来患者処理（１８００、１８００ａ、１８００ｂ）を前記データ処理ハードウェア（１１２、１３２、１４２、１９２、１６０）で実行する段階と、
を備え、
前記皮下外来患者処理（１８００、１８００ａ、１８００ｂ）は、
前記患者（１０）の血糖測定値と、前記血糖測定値に関連付けられた血糖時間と、前記患者（１０）によって投与され且つ前記血糖測定値に関連付けられたインスリン投薬量と、を含む前記患者（１０）の血糖データを、コンピュータデバイスと通信するグルコメーター（１２４）から前記データ処理ハードウェア（１１２、１３２、１４２、１９２、１６０）で取得する段階、
前記血糖時間に基づいて、前記血糖測定値に関連付けられたスケジュールされた血糖時間間隔を、前記データ処理ハードウェア（１１２、１３２、１４２、１９２、１６０）によって決定する段階、
前記スケジュールされた血糖時間間隔のうちの少なくとも１つに関連付けられた前記血糖測定値を、前記データ処理ハードウェア（１１２、１３２、１４２、１９２、１６０）によって集約して、当該少なくとも１つのスケジュールされた血糖時間間隔に関連付けられた代表集約血糖測定値（２２２６、２２２８、２２５６、２２５８）を決定する段階、
前記代表集約血糖測定値（２２２６、２２２８、２２５６、２２５８）及び前記皮下情報（２１６、２１６ａ）に基づいて、前記患者（１０）に対する次の推奨インスリン投薬量（２３１０、２４０２、２４０４、２４０６）を、前記データ処理ハードウェア（１１２、１３２、１４２、１９２、１６０）によって決定する段階、及び
前記次の推奨インスリン投薬量（２３１０、２４０２、２４０４、２４０６）を、前記データ処理ハードウェア（１１２、１３２、１４２、１９２、１６０）から当該次の推奨インスリン投薬量（２３１０、２４０２、２４０４、２４０６）を表示する前記患者（１０）に関連付けられた携帯式デバイス（１１０ａ、１１０ｂ、１２３ａ、１２３ｂ、１２４）に送信する段階
を含むことを特徴とする方法（１３００）。
【請求項１７】
前記データ処理ハードウェア（１１２、１３２、１４２、１９２、１６０）と通信する投与デバイス（１２３、１２３ａ、１２３ｂ）に前記皮下外来患者処理（１８００、１８００ａ、１８００ｂ）を送信する段階
を更に含み、
前記投与デバイス（１２３、１２３ａ、１２３ｂ）は、
投薬器（２２３ａ、２２３ｂ）と、
前記投薬器（２２３ａ、２２３ｂ）と通信し、前記皮下外来患者処理（１８００、１８００ａ、１８００ｂ）を実行する時に前記投薬器（２２３ａ、２２３ｂ）をして前記皮下外来患者処理（１８００、１８００ａ、１８００ｂ）によって指定されたインスリンを投与させる投与コンピュータデバイス（１１２ｄ、１１２ｅ）と、
を含むことを特徴とする請求項１６に記載の方法（１３００）。
【請求項１８】
前記血糖データを取得する段階は、
バッチダウンロード処理（１９０８、１９１２）中に前記データ処理ハードウェア（１１２、１３２、１４２、１９２、１６０）と通信する遠隔コンピュータデバイス（１４２）から前記血糖データを受信する段階であって、前記遠隔コンピュータデバイスは、前記グルコメーター（１２４）から前記血糖データをダウンロードするためのダウンロードプログラム（１９６）を実行する、という段階、
前記血糖測定値の測定時に前記グルコメーター（１２４）から前記血糖データを受信する段階、
バッチダウンロード処理（１９０８、１９１２）中に前記データ処理ハードウェア（１１２、１３２、１４２、１９２、１６０）と通信するメーター製造業者コンピュータデバイス（１９２）から前記血糖データを受信する段階であって、前記メーター製造業者コンピュータデバイス（１９２）は、前記グルコメーター（１２４）から前記血糖データを受信する、という段階、及び
前記データ処理ハードウェア（１１２、１３２、１４２、１９２、１６０）及び前記グルコメーター（１２４）と通信する患者デバイス（１１０ａ、１１０ｂ）から前記血糖データを受信する段階であって、前記患者デバイス（１１０ａ、１１０ｂ）は、前記グルコメーター（１２４）から前記血糖データを受信する、という段階、
のうちの１又は２以上を含むことを特徴とする請求項１６に記載の方法（１３００）。
【請求項１９】
前記データ処理ハードウェア（１１２、１３２、１４２、１９２、１６０）により、朝食血糖時間間隔に関連付けられた前記血糖測定値のうちの１又は２以上を集約し、代表集約朝食血糖測定値（２３０６、２２２６、２２２８）を決定する段階と、
前記データ処理ハードウェア（１１２、１３２、１４２、１９２、１６０）により、就寝中血糖時間間隔に関連付けられた前記血糖測定値のうちの１又は２以上を集約し、代表集約就寝中血糖測定値（２３０４、２２２６、２２２８）を決定する段階と、
前記データ処理ハードウェア（１１２、１３２、１４２、１９２、１６０）により、支配的血糖値を、前記代表集約就寝中血糖測定値（２３０４、２２２６、２２２８）又は前記代表集約朝食血糖測定値（２３０６、２２２６、２２２８）のうちの小さい方の値として選択する段階と、
前記データ処理ハードウェア（１１２、１３２、１４２、１９２、１６０）により、前記選択された支配的血糖測定値に基づいて次の推奨基礎投薬量（２３１０）を調節するための調節係数（ＡＦ１）を決定する段階と、
前記データ処理ハードウェア（１１２、１３２、１４２、１９２、１６０）において、前日推奨基礎投薬量（２３１２）を取得する段階と、
前記データ処理ハードウェア（１１２、１３２、１４２、１９２、１６０）により、前記調節係数（ＡＦ１）を前記前日推奨基礎投薬量（２３１２）に乗算することによって前記次の推奨基礎投薬量（２３１０）を決定する段階と、
を更に含むことを特徴とする請求項１６に記載の方法（１３００）。
【請求項２０】
前記データ処理ハードウェア（１１２、１３２、１４２、１９２、１６０）により、昼食血糖時間間隔に関連付けられた前記血糖測定値のうちの１又は２以上を集約し、代表集約昼食血糖測定値（２２５６、２２５８）を決定する段階と、
前記データ処理ハードウェア（１１２、１３２、１４２、１９２、１６０）により、支配的血糖値を前記代表集約昼食血糖測定値（２２５６、２２５８）として選択する段階と、
前記データ処理ハードウェア（１１２、１３２、１４２、１９２、１６０）により、前記選択された支配的血糖測定値に基づいて次の推奨朝食ボーラス（２４０２）を調節するための調節係数（ＡＦ１）を決定する段階と、
前記データ処理ハードウェア（１１２、１３２、１４２、１９２、１６０）において、前日推奨朝食ボーラス（２４０８）を取得する段階と、
前記データ処理ハードウェア（１１２、１３２、１４２、１９２、１６０）により、前記調節係数（ＡＦ１）を前記前日推奨朝食ボーラス（２４０８）に乗算することによって前記次の推奨朝食ボーラス（２４０２）を決定する段階と、
を更に含むことを特徴とする請求項１６に記載の方法（１３００）。
【請求項２１】
前記データ処理ハードウェア（１１２、１３２、１４２、１９２、１６０）により、夕食血糖時間間隔に関連付けられた前記血糖測定値のうちの１又は２以上を集約し、代表集約夕食血糖測定値（２２５６、２２５８）を決定する段階と、
前記データ処理ハードウェア（１１２、１３２、１４２、１９２、１６０）により、支配的血糖値を前記代表集約夕食血糖測定値（２２５６、２２５８）として選択する段階と、
前記データ処理ハードウェア（１１２、１３２、１４２、１９２、１６０）により、前記選択された支配的血糖測定値に基づいて次の推奨昼食ボーラス（２４０４）を調節するための調節係数（ＡＦ１）を決定する段階と、
前記データ処理ハードウェア（１１２、１３２、１４２、１９２、１６０）において、前日推奨昼食ボーラス（２４１４）を取得する段階と、
前記データ処理ハードウェア（１１２、１３２、１４２、１９２、１６０）により、前記調節係数（ＡＦ１）を前記前日推奨昼食ボーラス（２４１４）に乗算することによって前記次の推奨昼食ボーラス（２４０４）を決定する段階と、
を更に含むことを特徴とする請求項１６に記載の方法（１３００）。
【請求項２２】
前記データ処理ハードウェア（１１２、１３２、１４２、１９２、１６０）により、就寝時血糖時間間隔に関連付けられた前記血糖測定値のうちの１又は２以上を集約し、代表集約就寝時血糖測定値（２２５６、２２５８）を決定する段階と、
前記データ処理ハードウェア（１１２、１３２、１４２、１９２、１６０）により、支配的血糖値を前記代表集約就寝時血糖測定値（２２２６、２２２８）として選択する段階と、
前記データ処理ハードウェア（１１２、１３２、１４２、１９２、１６０）により、前記選択された支配的血糖測定値に基づいて次の推奨夕食ボーラス（２４０６）を調節するための調節係数（ＡＦ１）を決定する段階と、
前記データ処理ハードウェア（１１２、１３２、１４２、１９２、１６０）において、前日推奨夕食ボーラス（２４２０）を取得する段階と、
前記データ処理ハードウェア（１１２、１３２、１４２、１９２、１６０）により、前記調節係数（ＡＦ１）を前記前日推奨夕食ボーラス（２４２０）に乗算することによって前記次の推奨夕食ボーラス（２４０６）を決定する段階と、
を更に含むことを特徴とする請求項１６に記載の方法（１３００）。
【請求項２３】
前記データ処理ハードウェア（１１２、１３２、１４２、１９２、１６０）により、選択された時間間隔に関連付けられた前記血糖測定値のうちの１又は２以上を集約し、当該選択された時間間隔に関連付けられた代表集約血糖測定値（２２２６、２２２８、２２５６、２２５８）を決定する段階と、
前記データ処理ハードウェア（１１２、１３２、１４２、１９２、１６０）により、支配的血糖値を、前記選択された時間間隔に関連付けられた前記代表集約血糖測定値（２２２６、２２２８、２２５６、２２５８）として選択する段階と、
前記データ処理ハードウェア（１１２、１３２、１４２、１９２、１６０）により、前記選択された支配的血糖測定値に基づいて前記選択された時間間隔によって支配される次の推奨炭水化物対インスリン比（２５０２、２５０４、２５０６）を調節するための調節係数（ＡＦ１）を決定する段階と、
前記データ処理ハードウェア（１１２、１３２、１４２、１９２、１６０）において、前記選択された時間間隔によって支配される前日推奨炭水化物対インスリン比（２５０８、２５１４、２５２０）を取得する段階と、
前記データ処理ハードウェア（１１２、１３２、１４２、１９２、１６０）により、前記調節係数（ＡＦ１）を前記前日推奨炭水化物対インスリン比（２５０８、２５１４、２５２０）に乗算することによって前記次の推奨炭水化物対インスリン比（２５０２、２５０４、２５０６）を決定する段階と、
を更に含むことを特徴とする請求項１６に記載の方法（１３００）。
【請求項２４】
前記選択される時間間隔は、昼食血糖時間間隔、夕食血糖時間間隔、又は就寝時血糖時間間隔のうちの１つを含むことを特徴とする請求項２３に記載の方法（１３００）。
【請求項２５】
各スケジュールされる血糖時間間隔が、朝食前血糖測定値、昼食前血糖測定値、夕食前血糖測定値、就寝時血糖測定値、及び、就寝中血糖測定値のうちの１つを含む関連付けられた血糖タイプに相関付けられることを特徴とする請求項１６に記載の方法（１３００）。
【請求項２６】
前記データ処理ハードウェア（１１２、１３２、１４２、１９２、１６０）により、前記血糖測定値の各々に対して、当該血糖測定値を測定する時に前記患者（１０）によってタグ付けされる前記血糖タイプを決定する段階、
を更に含むことを特徴とする請求項２５に記載の方法（１３００）。
【請求項２７】
前記スケジュールされる血糖時間間隔の一部分が、前記患者（１０）が食事を摂取している時の時間間隔に関連付けられ、
前記スケジュールされる血糖時間間隔の残りの部分が、前記患者（１０）が食事を摂取していない時の時間間隔に関連付けられる
ことを特徴とする請求項１６に記載の方法（１３００）。
【請求項２８】
前記データ処理ハードウェア（１１２、１３２、１４２、１９２、１６０）において、当該データ処理ハードウェア（１１２、１３２、１４２、１９２、１６０）と通信する遠隔ヘルスケアプロバイダコンピュータデバイス（１４２）から、指定された日付範囲を受信する段階と、
前記データ処理ハードウェア（１１２、１３２、１４２、１９２，１６０）により、前記スケジュールされた血糖時間間隔のうちの少なくとも１つに関連付けられ、かつ、前記指定された日付範囲内にある、前記血糖測定値のうちの１又は２以上を集約する段階と、
を更に含むことを特徴とする請求項１６に記載の方法（１３００）。
【請求項２９】
前記代表集約血糖測定値（２２２６、２２２８、２２５６、２２５８）は、前記関連付けられてスケジュールされた血糖時間間隔に対する平均血糖値を含むことを特徴とする請求項１６に記載の方法（１３００）。
【請求項３０】
前記代表集約血糖測定値（２２２６、２２２８、２２５６、２２５８）は、前記関連付けられてスケジュールされた血糖時間間隔に対する中央血糖値を含むことを特徴とする請求項１６に記載の方法（１３００）。